(57)【要約】【課題】  段ボールケースにおいて、粘着テープ、接着剤、金属製ステープルなどの固定手段が使用せずに底部や天部の開口部をフラップで封函する技術が提案されている。しかし、フラップの組合せ方が複雑である、フラップの組合せに手間がかかる、段ボールシート打ち抜き工程において生産性が低下する、段ボールシートの使用面積が増加してしまう、等の問題があった。【解決手段】  段ボールケース１においては、第１フラップ１１と第２フラップ１２とを重ね合わせたとき、第１側端縁５２は第１先端縁５３に近い部分ほど第２罫線２０から離れており、第１側端縁５２の全部が第２フラップ１２に重なり、切込部６２の基端が第１フラップ１１上に位置し先端が第１側端縁５２近傍に位置する。【選択図】  図４
2008030834.tif 000002
【特許請求の範囲】
【請求項１】
開口部と、該開口部の周縁を基端とする複数枚のフラップとを備え、該複数枚のフラップを重ね合わせることによって、該開口部を塞ぐ蓋部が形成される段ボールケースであって、
該開口部の周縁が、互いに隣り合い直角をなす第１罫線と第２罫線とを含む複数の罫線から構成され、
該第１罫線を基端縁とする第１フラップが、第１罫線と対向する第１先端縁と、該第１罫線と該第２罫線との第１境界点から該第１先端縁まで伸延する第１側端縁とを有し、
該第２罫線を基端縁とする第２フラップが、第２罫線と対向する第２先端縁と、該第２先端縁上の所定点を基端として形成された切込部とを有し、
該第１フラップと該第２フラップとを重ね合わせたとき、該第１側端縁は該第１先端縁に近い部分ほど該第２罫線から離れており、該第１側端縁の全部が該第２フラップに重なり、該切込部の基端が該第１フラップ上に位置し先端が該第１側端縁近傍に位置する、段ボールケース。
【請求項２】
該第１側端縁が該第１境界点から該第１先端縁まで直線状に伸延する、請求項１記載の段ボールケース。
【請求項３】
該切込部が直線状であり、かつ、該第１フラップと該第２フラップとを重ね合わせたとき該第１罫線と平行となる、請求項１又は２記載の段ボールケース。
【請求項４】
該第１フラップと該第２フラップとを重ね合わせたとき、
第１罫線からの距離が、第１罫線から第１先端縁までの距離の０．３倍以上０．７倍以下となる範囲内に、該切込部が位置する、請求項１乃至３のいずれか一の項に記載の段ボールケース。
【請求項５】
該第２先端縁から該切込部の先端までの距離が、該第２罫線から該第２先端縁までの距離の０．３倍以上０．７倍以下である、請求項１乃至４のいずれか一の項に記載の段ボールケース。
【請求項６】
開口部と、該開口部の周縁を基端とする複数枚のフラップとを備え、該複数枚のフラップを重ね合わせることによって、該開口部を塞ぐ蓋部が形成される段ボールケースであって、
該開口部の周縁が、互いに隣り合い直角をなす第３罫線と第４罫線とを含む複数の罫線から構成され、
該第３罫線を基端縁とする第３フラップが、第３罫線と対向する第３先端縁と、該第３罫線と該第４罫線との第２境界点から該第３先端縁まで伸延する第３側端縁とを有し、
該第４罫線を基端縁とする第４フラップが、第４罫線と対向する第４先端縁と、該第２境界点から該第４先端縁まで伸延する第４側端縁とを有し、
該第３フラップと該第４フラップとを重ね合わせたとき、該第３側端縁は該第３先端縁に近い部分ほど該第４罫線から離れており、該第４側端縁は該第４先端縁に近い部分ほど該第３罫線から離れており、該第３側端縁の全部が該第４フラップに重なり、該第４側端縁の全部が該第３フラップに重なる、段ボールケース。
【請求項７】
該第３側端縁が、該第２境界点から該第３先端縁まで直線状に伸延し、該第４側端縁が、該第２境界点から該第４先端縁まで直線状に伸延する、請求項６記載の段ボールケース。
【請求項８】
該第３側端縁が、該第２境界点から該第３先端縁まで曲線状に伸延し、該第４側端縁が、該第２境界点から該第４先端縁まで曲線状に伸延する、請求項６記載の段ボールケース。
【発明の詳細な説明】
【技術分野】
【０００１】
本発明は、開口部をフラップで封函するタイプの段ボールケースに関し、特に、粘着テープ、接着剤、ステープル等の固定手段を用いることなく容易に該開口部を封函することのできる段ボールケースに関する。
【背景技術】
【０００２】
従来、一般的な段ボールケースにおいては、底部や天部の開口部を封函するために、フラップを粘着テープ、接着剤、金属製ステープルなどで固定することが多い。
【０００３】
近年、種々の物品のリサイクルが進み、そのため上記のような固定手段を使用する必要のない段ボールケースもいくつか提案されている（例えば、特許文献１参照）。
【０００４】
しかし、これらはいずれもフラップの係合方法が複雑で、フラップの係合に手間がかかるだけでなく、フラップ形状の複雑さから段ボールシート打ち抜き工程における生産性の低下を招き、さらには段ボールシートの使用面積が増加してしまうという問題があった。
【特許文献１】実用新案登録第３１１７２７６号公報
【発明の開示】
【発明が解決しようとする課題】
【０００５】
本願に係る発明の目的は、開口部を封ずるためのフラップの係合が容易で、かつ、フラップ形状も単純な段ボールケースを提供することにある。
【課題を解決するための手段】
【０００６】
上記課題を解決するため、本願発明に係る段ボールケースは、開口部と、該開口部の周縁を基端とする複数枚のフラップとを備え、該複数枚のフラップを重ね合わせることによって、該開口部を塞ぐ蓋部が形成される段ボールケースであって、該開口部の周縁が、互いに隣り合い直角をなす第１罫線と第２罫線とを含む複数の罫線から構成され、該第１罫線を基端縁とする第１フラップが、第１罫線と対向する第１先端縁と、該第１罫線と該第２罫線との第１境界点から該第１先端縁まで伸延する第１側端縁とを有し、該第２罫線を基端縁とする第２フラップが、第２罫線と対向する第２先端縁と、該第２先端縁上の所定点を基端として形成された切込部とを有し、該第１フラップと該第２フラップとを重ね合わせたとき、該第１側端縁は該第１先端縁に近い部分ほど該第２罫線から離れており、該第１側端縁の全部が該第２フラップに重なり、該切込部の基端が該第１フラップ上に位置し先端が該第１側端縁近傍に位置する。
【０００７】
このように構成されているので、第２フラップの上に第１フラップが重なるように両フラップを畳んだ後、第１フラップの角部を下方に押し込むと、該角部が第２フラップの下方に容易に入り込む。そして、第１フラップは第２フラップの切込部に挟み込まれ、両フラップが係合する。
【０００８】
上記段ボールケースにおいて、該第１側端縁が該第１境界点から該第１先端縁まで直線状に伸延するようにすれば、第１フラップの角部を下方に押し込んだとき、該角部が円滑に第２フラップの下方に入り込む。
【０００９】
また上記段ボールケースにおいて、該切込部が直線状であり、かつ、該第１フラップと該第２フラップとを重ね合わせたとき該第１罫線と平行となるようにしてもよい。
【００１０】
また上記段ボールケースにおいて、該第１フラップと該第２フラップとを重ね合わせたとき、第１罫線からの距離が、第１罫線から第１先端縁までの距離の０．３倍以上０．７倍以下となる範囲内に、該切込部が位置するようにしてもよい。このように構成すれば、第１フラップの角部を下方にわずかな力で押し込んだだけで両フラップを確実に係合させることができる。
【００１１】
また上記段ボールケースにおいて、該第２先端縁から該切込部の先端までの距離が、該第２罫線から該第２先端縁までの距離の０．３倍以上０．７倍以下であるように構成してもよい。このように構成すれば、第１フラップの角部を下方にわずかな力で押し込んだだけで両フラップを確実に係合させることができる。
【００１２】
また上記課題を解決するため、本願発明に係るもう一つの段ボールケースは、開口部と、該開口部の周縁を基端とする複数枚のフラップとを備え、該複数枚のフラップを重ね合わせることによって、該開口部を塞ぐ蓋部が形成される段ボールケースであって、該開口部の周縁が、互いに隣り合い直角をなす第３罫線と第４罫線とを含む複数の罫線から構成され、該第３罫線を基端縁とする第３フラップが、第３罫線と対向する第３先端縁と、該第３罫線と該第４罫線との第２境界点から該第３先端縁まで伸延する第３側端縁とを有し、該第４罫線を基端縁とする第４フラップが、第４罫線と対向する第４先端縁と、該第２境界点から該第４先端縁まで伸延する第４側端縁とを有し、該第３フラップと該第４フラップとを重ね合わせたとき、該第３側端縁は該第３先端縁に近い部分ほど該第４罫線から離れており、該第４側端縁は該第４先端縁に近い部分ほど該第３罫線から離れており、該第３側端縁の全部が該第４フラップに重なり、該第４側端縁の全部が該第３フラップに重なる。
【００１３】
このように構成されているので、第４フラップの上に第３フラップが重なるように両フラップを畳んだ後、第３フラップの角部を下方に押し込むと、該角部の近傍部分や第３側端縁が第４フラップの下方に容易に入り込む。
【００１４】
上記段ボールケースにおいて、該第３側端縁が、該第２境界点から該第３先端縁まで直線状に伸延し、該第４側端縁が、該第２境界点から該第４先端縁まで直線状に伸延するようにしてもよい。
【００１５】
また上記段ボールケースにおいて、該第３側端縁が、該第２境界点から該第３先端縁まで曲線状に伸延し、該第４側端縁が、該第２境界点から該第４先端縁まで曲線状に伸延するようにしてもよい。
【発明の効果】
【００１６】
本願に係る段ボールケースによれば、フラップ形状も複雑にならず、また、開口部を封ずるためのフラップの係合作業も極めて容易となる。
【発明を実施するための最良の形態】
【００１７】
本願発明の一実施形態たる段ボールケースを、以下、図面を参照しつつ説明する。
【００１８】
図１は本実施形態にかかる段ボールケース１の展開図である。図１に示すように、段ボールケース１は矩形の前面部３と、矩形の右側面部４と、矩形の後面部５と、矩形の左側面部６と、糊付面部２とを備えている。さらに前面部３から上下方向にそれぞれ伸延する前面上フラップ７と前面下フラップ１１とを備えている。またさらに、右側面部４から上下方向にそれぞれ伸延する右上フラップ８と右下フラップ１２とを備えている。またさらに、後面部５から上下方向にそれぞれ伸延する後面上フラップ９と後面下フラップ１３とを備えている。またさらに、左側面部６から上下方向にそれぞれ伸延する左上フラップ１０と左下フラップ１４とを備えている。
【００１９】
また、各面は、糊付面部２、前面部３、右側面部４、後面部５、左側面部６の順で連結されている。これらの面の境界線２３、２４、２５、２６には罫線（折り曲げ線）が施されている。
【００２０】
この段ボールケース１は、レタスを梱包して輸送するためのケースであるため、前面部３と後面部５とに「レタス」という文字が印刷されている。
【００２１】
前面上フラップ７は、前面部３の上端の直線状の罫線を基端縁１５として上方向に伸延する方形のフラップである。前面上フラップ７の輪郭を形成する外縁は、境界線２３の上端から上方に延びる左側端縁３４と、境界線２４の上端から上方に延びる右側端縁３５と、左側端縁３４の先端から右側端縁３５の先端へ延びる先端縁３２と、基端縁１５とにより形成されている。先端縁３２は基端縁１５と平行であり、基端縁１５と対向している。
【００２２】
後面上フラップ９は、後面部５の上端の直線状の罫線を基端縁１７として上方向に伸延する台形のフラップである。後面上フラップ９の輪郭を形成する外縁は、境界線２５の上端から斜め上方へ延びる右側端縁３９と、境界線２６の上端から上方へ延びる左側端縁４０と、右側端縁３９の先端から左側端縁４０の先端へ延びる先端縁３７と、基端縁１７とにより形成されている。先端縁３７は基端縁１７と平行であり、基端縁１７と対向している。
【００２３】
右上フラップ８は右側面部４の上端の直線状の罫線を基端縁１６として上方向に伸延する台形のフラップである。右上フラップ８の輪郭を形成する外縁は、境界線２４の上端から上方へ延びる前側端縁４１と、境界部２５の上端から斜め上方へ延びる後側端縁４２と、前側端縁４１の先端から後側端縁４２の先端へ延びる先端縁４３と、基端縁１６とにより形成されている。先端縁４３は基端縁１６と平行であり、基端縁１６と対向している。
【００２４】
左上フラップ１０は左側面部６の上端の直線状の罫線を基端縁１８として上方向に伸延する方形のフラップである。左上フラップ１０の輪郭を形成する外縁は、境界線２６の上端から上方へ延びる後側端縁４４と、左側面部６の前側端縁２７の上端から上方へ延びる前側端縁４５と、後側端縁４４の先端から前側端縁４５の先端へ延びる先端縁４６と、基端縁１８とにより形成されている。先端縁４６は基端縁１８と平行であり、基端縁１８と対向している。
【００２５】
前面下フラップ１１は、前面部３の下端の直線状の罫線を基端縁１９として下方に伸延する台形のフラップである。前面下フラップ１１の輪郭を形成する外縁は、境界線２３の下端から下方に延びる左側端縁５１と、境界線２４の下端から斜め下方に延びる右側端縁５２と、左側端縁５１の先端から右側端縁５２の先端へ延びる先端縁５３と、基端縁１９とにより形成されている。先端縁５３は基端縁１９と平行であり、基端縁１９と対向している。
【００２６】
後面下フラップ１３は、後面部５の下端の直線状の罫線を基端縁２１として下方に伸延する方形のフラップである。後面下フラップ１３の輪郭を形成する外縁は、境界線２５の下端から下方へ延びる右側端縁５５と、境界線２６の下端から下方へ延びる左側端縁５６と、右側端縁５５の先端から左側端縁５６の先端へ延びる先端縁６０と、基端縁２１とにより形成されている。先端縁６０は基端縁２１と平行であり、基端縁２１と対向している。
【００２７】
右下フラップ１２は、右側面部４の下端の直線状の罫線を基端縁２０として下方に伸延する方形のフラップである。右下フラップ１２の輪郭を形成する外縁は、境界線２４の下端から下方に延びる前側端縁６３と、境界線２５の下端から下方に延びる後側端縁６４と、前側端縁６３の先端から後側端縁６４の先端へ延びる先端縁６６と、基端縁２０とにより形成されている。先端縁６６は基端縁２０と平行であり、基端縁２０と対向している。また、右下フラップ１２には、直線状の切込部６２が形成されている。切込部６２は、先端縁６６上の所定点を基端として、上方に（基端縁２０へ向かう方向に）延びている。切込部６２の先端は、右下フラップ１２上に位置する。
【００２８】
左下フラップ１４は、左側面部６の下端の直線状の罫線を基端縁２２として下方に伸延する方形のフラップである。左下フラップ１４の輪郭を形成する外縁は、境界線２６の下端から下方へ延びる後側端縁６８と、左側面部６の前側端縁２７の下端から下方へ延びる前側端縁６４と、後側端縁６８の先端から前側端縁６４の先端へ延びる先端縁７０と、基端縁２２とにより形成されている。先端縁７０は基端縁２２と平行であり、基端縁２２と対向している。
【００２９】
段ボールケース１は、図１に示すような展開状態において、上記のように構成されている。このように、展開状態において極めてシンプルな形状を有するので、段ボールシートを打ち抜いてこれを製造することは容易である。
【００３０】
そして、糊付面部２が、左側面部６の前側端縁２７近傍に糊付けされることによって、天部と底部に矩形の開口部を有する筒状の製品が形成される。このとき、４の罫線（基端縁１５、基端縁１６、基端縁１７ および 基端縁１８）によって、天部の開口部の周縁が形成される。また、４の罫線（基端縁１９、基端縁２０、基端縁２１ および 基端縁２２）によって、底部の開口部の周縁が形成される。
【００３１】
さらに、前面下フラップ１１、右下フラップ１２、後面下フラップ１３、及び左下フラップ１４を内側に折り込んで重ねることによって、底部の開口部を塞ぐための底蓋が形成される。またさらに、前面上フラップ７、右上フラップ８、後面上フラップ９、及び左上フラップ１０を内側に折り込んで重ねることによって天部の開口部を塞ぐための天蓋が形成される。
【００３２】
なお、図１から理解されるように、基端縁１９と基端縁２０の境界点、基端縁２０と基端縁２１の境界点  および  基端縁２１と基端縁２２の境界点において、円形状の切欠が形成されている。これにより、展開状態の段ボールケース１を罫線（基端縁１９,２０,２１,２２）に沿って折り曲げやすくすることができる。また、この円形状の切欠によって、段ボールケース１が直方体形状に組み立てられたとき、底部の隅に小孔が形成される。この小孔は、水気の多い野菜などを段ボールケース１に収めたときに、水抜孔として機能する。
【００３３】
図２は、段ボールケース１を筒状にしたあと、さらに、前面下フラップ１１、右下フラップ１２、後面下フラップ１３、及び左下フラップ１４を内側に折り込んで底蓋を形成してゆくときの工程を示す図である。底蓋は、底部側の開口部を塞ぐためのものである。
【００３４】
図２に従って説明すると、（ａ）は段ボールケース１を筒状にした状態を示す図である。その後、右下フラップ１２、後面下フラップ１３、左下フラップ１４の順に、内側に折り込んでゆくと、段ボールケース１は（ｂ）に示すような状態となる。さらに、前面下フラップ１１を内側に折り込むと、段ボールケース１は（ｃ）に示すような状態となる。この状態では、右下フラップ１２の上に前面下フラップ１１が重なっているだけである。よって、底蓋は簡単にほぐれてしまう。そこで、さらに１１の角部（右側端縁５２と先端縁５３の境界点）の近傍の点Ｐ１を下方に押し込む。すると、右下フラップ１２の切込部６２の近傍の部分が下方に撓み、切込部６２が前面下フラップ１１を挟み込むような状態で、右下フラップ１２と前面下フラップ１１とが係合する。右側端縁５２が傾斜しているため、右下フラップ１２の切込部６２の近傍の部分が下方に若干撓むと、右下フラップ１２と前面下フラップ１１とが容易に係合する。（ｄ）は、このようにして右下フラップ１２と前面下フラップ１１とが係合したときの、段ボールケース１を示す図である。（ｄ）のような状態であれば、底蓋は簡単にはほぐれない。
以上のとおり、粘着テープ、接着剤、ステープル等の固定手段を用いることもなく、底部の開口部を封函する底蓋を極めて簡単に形成することができる。
【００３５】
図３は、図２（ｄ）に示すように底蓋が形成された状態の段ボールケース１の底面図である。
【００３６】
図４は、図３の底面図の切込部６２近傍を拡大した拡大図である。ただし、図４においては後面下フラップ１３が省略されている。
【００３７】
図４から理解されるように、基端縁（第１罫線）１９と基端縁（第２罫線）２０とは互いに隣り合い、直角をなしている。点Ｐ２は基端縁（第１罫線）１９と基端縁（第２罫線）２０の境界点（第１境界点）である。前面下フラップ（第１フラップ）１１の右側端縁（第１側端縁）５２は、点Ｐ２から先端縁（第１先端縁）５３まで直線状に伸延している。図４の状態では、前面下フラップ１１と右下フラップ（第２フラップ）１２とが重なるように畳まれているが、この状態においては、右側端縁５２は先端縁５３に近い部分ほど基端縁（第２罫線）２０から離れるように傾斜しており、右側端縁５２の全部が、右下フラップ１２に重なっている。切込部６２は、先端縁（第２先端縁）６６上の点Ｐ３を基端とし、点Ｐ４まで伸延している。
【００３８】
図４から理解されるように、前面下フラップ１１と右下フラップ１２とが重なるように畳まれた状態において、切込部６２の基端点Ｐ３は、前面下フラップ１１上に位置し、切込部６２の先端点Ｐ４は、右側端縁５２の近傍に位置する。また、切込部６２は基端縁（罫線）１９と平行である。このように右側端縁５２が傾斜しているため、前面下フラップ１１を円滑に切込部６２に挿入することができるのである。また、切込部６２の先端点Ｐ４が右側端縁５２の近傍に位置するので、切込部６２に遊び部分ができることなく、前面下フラップ１１をしっかりと挟持することができるのである。
【００３９】
前面下フラップ１１の幅（基端縁（罫線）１９から先端縁５３までの距離）は、右側端縁５２の近傍においてａ１である。右下フラップ１２の幅（基端縁（罫線）２０から先端縁６６までの距離）は、切込部６２の近傍においてａ３である。
【００４０】
先端点Ｐ４は先端縁６６からａ４だけ離れている。両フラップ（前面下フラップ１１と右下フラップ１２）を容易に係合させ、かつ、その係合状態を確実にするためには、ａ４（先端縁６６から点Ｐ４までの距離）を「０．３×ａ３」以上「０．７×ａ３」以下とすることが望ましい。
【００４１】
さらに、図４のように両フラップが畳まれた状態において、基端縁（罫線）１９からの距離が「０．３×ａ１」以上「０．７×ａ１」以下となる範囲内に、切込部６２が位置することが望ましい。なお、図中の線Ｌ１は、基端縁（罫線）１９からの距離が「０．３×ａ１」となる点を、また、線Ｌ２は、基端縁（罫線）１９からの距離が「０．７×ａ１」となる点を示す。図から理解されるように、基端縁（罫線）１９から切込部６２までの距離ａ２は、「０．３×ａ１」より長く、「０．７×ａ１」より短い。
【００４２】
図５は、段ボールケース１を図２（ｄ）のように組み立てたあと、さらに、前面上フラップ７、右上フラップ８、後面上フラップ９、及び左上フラップ１０を内側に折り込んで天蓋を形成してゆくときの工程を示す図である。天蓋は、天部側の開口部を塞ぐためのものである。
【００４３】
図５に従って説明すると、図５（ａ）は図２（ｄ）のような状態に組み立てられた段ボールケース１を示す図である。その後、右上フラップ８、前面上フラップ７、左上フラップ１０の順に、内側に折り込んでゆくと、段ボールケース１は図５（ｂ）に示すような状態となる。さらに、後面上フラップ９を内側に折り込むと、段ボールケース１は図５（ｃ）に示すような状態となる。この状態では、右上フラップ８の上に後面上フラップ９が重なっているだけであり、天蓋は簡単にほぐれてしまう。そこで、さらに後面上フラップ９の角部（右側端縁３９と先端縁３７の境界点）の近傍の点Ｐ５を下方に押し込む。すると、右上フラップ８の角部（後側端縁４２と先端縁４３の境界点）近傍の部分が下方に撓み、後面上フラップ９が右上フラップ８の下に入り込んだような状態となる。図５（ｄ）は、このようにして、後面上フラップ９が右上フラップ８の下に入り込んだときの、段ボールケース１を示す図である。右側端縁３９と後側端縁４２とが傾斜しているため、右上フラップ８の角部（後側端縁４２と先端縁４３の境界点）近傍の部分が下方に若干撓むと、後面上フラップ９が右上フラップ８の下に容易に入り込む。図５（ｄ）のような状態であれば、天蓋は簡単にはほぐれない。以上のとおり、粘着テープ、接着剤、ステープル等の固定手段を用いることもなく、天部の開口部を封函する天蓋を極めて簡単に形成することができる。
【００４４】
図６は、図５（ｄ）に示すように天蓋が形成された状態の段ボールケース１の平面図である。
【００４５】
図７は、図６の平面図の右側端縁３９と後側端縁４２の近傍を拡大した拡大図である。ただし、図７においては前面上フラップ７が省略されている。
【００４６】
図７から理解されるように、後面上フラップ（第３フラップ）９の右側端縁（第３側端縁）３９は、基端縁（第３罫線）１７と基端縁（第４罫線）１６の境界点（第２境界点）Ｐ６から先端縁（第３先端縁）３７まで直線状に伸延している。また、右上フラップ（第４フラップ）８の後側端縁（第４側端縁）４２は、点Ｐ６から先端縁（第４先端縁）４３まで直線状に伸延している。図７の状態では、右上フラップ８と後面上フラップ９とが重なるように畳まれているが、この状態においては、右側端縁３９は先端縁３７に近い部分ほど基端縁（罫線）１６から離れるように傾斜しており、右側端縁３９の全部が、右上フラップ８に重なっている。また、後側端縁４２は先端縁４３に近い部分ほど基端縁（罫線）１７から離れるように傾斜しており、後側端縁４２の全部が、後面上フラップ９に重なっている。このように右側端縁３９と後側端縁４２とが傾斜しているため、後面上フラップ９を押し込んで右上フラップ８を撓ませただけで、後面上フラップ９が右上フラップ８の下に容易に入り込むのである。
【００４７】
図１や図７では、後面上フラップ９の右側端縁３９と右上フラップ８の後側端縁４２とが直線状に形成された段ボールケース１を示したが、後面上フラップ９の右側端縁や右上フラップ８の後側端縁は曲線状であってもよい。
【００４８】
図８は、後面上フラップ９の右側端縁３９ａと右上フラップ８の後側端縁４２ａとが曲線状に形成された段段ボールケースの展開図の、右側端縁３９ａ、後側端縁４２ａの近傍のみを示す図である。
【００４９】
図９は、図８のように展開される段ボールケースの一部平面図であり、右側端縁３９ａと後側端縁４２ａの近傍を拡大した図であり、図７と対比されるべきものである。なお、図９においては前面上フラップ７が省略されている。これらの図（図８,図９）において、点Ｐ７は先端縁３７と右側端縁３９ａの境界点であり、点Ｐ８は先端縁４３と後側端縁４２ａの境界点である。
【００５０】
図９の状態では、右上フラップ８と後面上フラップ９とが重なるように畳まれている。この状態においては、右側端縁３９ａは先端縁３７に近い部分ほど基端縁（罫線）１６から離れており、右側端縁３９ａの全部が、右上フラップ８に重なっている。また、後側端縁４２ａは先端縁４３に近い部分ほど基端縁（罫線）１７から離れており、後側端縁４２ａの全部が、後面上フラップ９に重なっている。
【００５１】
このように、後面上フラップ９の右側端縁３９ａと右上フラップ８の後側端縁４２ａとが曲線状に形成されていても、後面上フラップ９を押し込んで右上フラップ８を撓ませただけで、後面上フラップ９が右上フラップ８の下に容易に入り込む。粘着テープ、接着剤、ステープル等の固定手段を用いることもなく、天部の開口部を封函する天蓋を極めて簡単に形成することができる。
【００５２】
以上、本願発明の一実施形態たる段ボールケース１について説明した。上記実施形態では、切込部６２を利用した封函の構造（図４に示す構造）を底部に適用した例を示した。しかし、この構造は底部に限らず天部にも適用可能である。また上記実施形態では、切込部を利用しない封函の構造（図７や図９に示す構造）を天部に適用した例を示した。しかし、この構造は天部に限らず底部にも適用可能である。
【産業上の利用可能性】
【００５３】
本願発明の適用により、粘着テープ、接着剤、ステープル等の固定手段を用いることなく容易に開口部を封函することのできる段ボールケースを得ることができるので、梱包容器の技術分野に利用できる。
【図面の簡単な説明】
【００５４】
【図１】段ボールケースの展開図である。
【図２】段ボールケースの各フラップを折り込んで底蓋を形成してゆくときの工程を示す図である。
【図３】底蓋が形成された状態の段ボールケースの底面図である。
【図４】図３の底面図の切込部近傍を拡大した拡大図である。
【図５】段ボールケースの各フラップを折り込んで天蓋を形成してゆくときの工程を示す図である。
【図６】天蓋が形成された状態の段ボールケースの平面図である。
【図７】図６の平面図の一部分を拡大した図である。
【図８】段段ボールケースの展開図の右上フラップや後面上フラップの近傍を示す図である。
【図９】組み立てられた段ボールケースの右上フラップや後面上フラップの近傍の平面図である。
【符号の説明】
【００５５】
１  段ボールケース
３  前面部
４  右側面部
５  後面部
６  左側面部
７  前面上フラップ
８  右上フラップ
９  後面上フラップ
１０  左上フラップ
１１  前面下フラップ
１２  右下フラップ
１３  後面下フラップ
１４  左下フラップ
３９  右側端縁
４２  後側端縁
５２  右側端縁
６２  切込部
【図１】
2008030834.tif 000003
【図２】
2008030834.tif 000004
【図３】
2008030834.tif 000005
【図４】
2008030834.tif 000006
【図５】
2008030834.tif 000007
【図６】
2008030834.tif 000008
【図７】
2008030834.tif 000009
【図８】
2008030834.tif 000010
【図９】
2008030834.tif 000011